(57)【特許請求の範囲】
【請求項１】
電磁波により信号を送信する１又は複数の表示装置と、携帯端末とを備える情報表示システムであって、
前記携帯端末は、
前記表示装置から送信される信号を受信し当該信号の強度を測定する受信測定部と、
前記受信測定部による測定結果を示す強度情報及び所定情報を送信する送信部とを有し、
前記表示装置は、
電磁波による信号の送信を繰り返す発信部と、
前記携帯端末から送信された前記強度情報及び前記所定情報に応じて表示状態の変更を行う表示部とを有し、
前記表示部は、
前記強度情報により示される強度が第１閾値より大きい場合には、表示状態を前記所定情報に応じた表示内容を表示する第１状態にし、
前記表示状態を第１状態にした場合において第１閾値を変更する
情報表示システム。
【請求項２】
第１閾値の前記変更は、第１閾値が元の値より小さくなるような変更である
請求項１記載の情報表示システム。
【請求項３】
前記表示部は、
前記強度情報により示される強度が第１閾値以下の第２閾値より小さい場合には、前記表示状態を第１状態と異なる第２状態にする、請求項１に記載の情報表示システム。
【請求項４】
前記表示部は、前記強度情報により示される強度が第１閾値よりも小さく、第１閾値以下である第２閾値より大きい場合には表示状態を保つ
請求項３記載の情報表示システム。
【請求項５】
前記情報表示システムは更に、サーバ装置を備え、
前記サーバ装置は、
前記携帯端末から送信される前記強度情報及び前記所定情報を受信する受信部と、
前記受信部により受信された前記強度情報及び前記所定情報に応じて表示内容を定める表示内容決定部と、
前記表示内容決定部により定められた表示内容を示す表示情報を前記表示装置に送信する送信部とを有し、
前記表示装置は更に、
前記サーバ装置から送信される表示情報を受信する受信部を有し、
前記表示部は、前記受信部により受信された表示情報が示す表示内容を表示する
請求項１〜４のいずれか一項に記載の情報表示システム。
【請求項６】
前記表示内容決定部は、前記強度情報により示される強度が第１閾値より大きい場合には前記所定情報に応じて表示内容を定め、当該強度が第１閾値以下の第２閾値より小さい場合には前記所定情報に拘らず表示内容を定め、
前記サーバ装置は、前記表示内容決定部により前記所定情報に応じて表示内容が定められた後において新たに前記受信部により前記強度情報及び前記所定情報が受信された場合に、第１閾値を元の値より小さい値に変更する
請求項５記載の情報表示システム。
【請求項７】
前記所定情報は、前記携帯端末の識別情報又は当該携帯端末の所持者の識別情報を含み、
前記サーバ装置は更に、前記所定情報の内容と複数種類のうちいずれかの種類を示す種別情報とを対応付けた情報、及び、前記表示装置に表示可能な種類を示す表示種別情報を記憶する記憶部を有し、
前記表示内容決定部は、前記携帯端末から前記所定情報を受信した場合に、前記記憶部を参照して当該所定情報に対応する種別情報を特定し、当該種別情報が示す種類と前記表示種別情報が示す種類とを比較し、当該比較の結果に応じて表示内容を定める
請求項５記載の情報表示システム。
【請求項８】
前記情報表示システムは、前記表示装置を複数備え、
前記表示装置の前記発信部が送信する前記信号は、当該表示装置の識別に用いられる表示装置識別用情報を含み、
前記所定情報は、前記表示装置識別用情報を含み、
前記サーバ装置の前記送信部は、当該サーバ装置の前記受信部により受信された前記所定情報に含まれる表示装置識別用情報を用いて識別される表示装置に、前記表示内容決定部により当該所定情報に応じて定められた表示内容を、送信する
請求項５記載の情報表示システム。
【請求項９】
前記表示内容決定部は、前記強度情報により示される強度が第１閾値より大きい場合には前記所定情報に応じて表示内容を定め、当該強度が第１閾値以下の第２閾値より小さい場合には前記所定情報に拘らず表示内容を定め、
前記サーバ装置は、前記表示内容決定部により前記所定情報に応じて表示内容が定められた後において新たに前記受信部により前記強度情報及び前記所定情報が受信された場合に、当該所定情報に含まれる前記表示装置識別用情報を用いて識別される表示装置が特定範囲内に存在するときには第１閾値を元の値より小さい値に変更する
請求項８記載の情報表示システム。
【請求項１０】
前記サーバ装置は更に、前記所定情報の内容と複数種類のうちいずれかの種類を示す種別情報とを対応付けた情報を記憶する記憶部を有し、
前記サーバ装置は、前記受信部により受信された前記所定情報と対応した前記種別情報が示す種類に応じて前記特定範囲を決定する
請求項９記載の情報表示システム。
【請求項１１】
前記発信部による信号の前記送信は電波を発することによりなされ、
前記受信測定部による前記測定は、電界強度の測定である
請求項１〜４のいずれか一項に記載の情報表示システム。
【請求項１２】
電磁波により信号を送信する１又は複数の表示装置と携帯端末とを備える情報表示システムにおいて用いられる情報表示方法であって、
前記表示装置において電磁波による信号の送信を繰り返す発信ステップと、
前記携帯端末において前記表示装置から送信される信号を受信し当該信号の強度を測定する受信測定ステップと、
前記受信測定ステップにおける前記測定の結果を示す強度情報及び所定情報を送信する送信ステップと、
前記送信ステップにおいて送信された前記強度情報及び前記所定情報に応じて前記表示装置の表示状態の変更を行う表示ステップとを含み、
前記表示ステップでは、
前記強度情報により示される強度が第１閾値より大きい場合には、表示状態を前記所定情報に応じた表示内容を表示する第１状態にし、
前記表示状態を第１状態にした場合において第１閾値を変更する
情報表示方法。
【請求項１３】
記憶媒体及びプロセッサを有する携帯端末と、表示装置識別用情報を含む信号を電磁波により繰り返し送信し、かつ、当該携帯端末から送信される所定情報に応じた表示を行う１又は複数の表示装置とを備える情報表示システムにおいて、当該携帯端末に制御処理を実行させるための制御プログラムであって、
前記制御処理は、
前記表示装置から送信される信号を受信して当該信号の強度を測定し、一定条件下で前記表示装置識別用情報の値を前記記憶媒体に記憶する受信測定ステップと、
前記受信測定ステップにおいて受信された前記表示装置識別用情報と同一の値が前記記憶媒体に記憶されていない場合において、測定された前記強度が所定強度以上であるときには所定情報を送信し、受信された当該表示装置識別用情報と同一の値が当該記憶媒体に記憶されている場合においては当該所定情報を送信する送信ステップとを含む
制御プログラム。
【発明の詳細な説明】
【技術分野】
【０００１】
本開示は、情報を表示する情報表示システム及び当該システムに用いられる情報表示方法に関する。
【背景技術】
【０００２】
特許文献１は、サイネージを含む領域のユーザ集団の状況に応じた情報を配信する技術を開示する。
【先行技術文献】
【特許文献】
【０００３】
【特許文献１】特許第５２８６１１２号公報
【発明の概要】
【発明が解決しようとする課題】
【０００４】
本開示は、特定の場所において情報を閲覧する個々の閲覧者に適した情報を表示する情報表示システム、及び、このシステムに用いられる情報表示方法を提供する。
【課題を解決するための手段】
【０００５】
本開示における情報表示システムは、電磁波により信号を送信する１又は複数の表示装置と、携帯端末とを備える情報表示システムであって、前記携帯端末は、前記表示装置から送信される信号を受信し当該信号の強度を測定する受信測定部と、前記受信測定部による測定結果を示す強度情報及び所定情報を送信する送信部とを有し、前記表示装置は、電磁波による信号の送信を繰り返す発信部と、前記携帯端末から送信された前記強度情報及び前記所定情報に応じて表示状態の変更を行う表示部とを有する情報表示システムである。
【０００６】
また、本開示における情報表示方法は、電磁波により信号を送信する１又は複数の表示装置と携帯端末とを備える情報表示システムにおいて用いられる情報表示方法であって、前記表示装置において電磁波による信号の送信を繰り返す発信ステップと、前記携帯端末において前記表示装置から送信される信号を受信し当該信号の強度を測定する受信測定ステップと、前記受信測定ステップにおける前記測定の結果を示す強度情報及び所定情報を送信する送信ステップと、前記送信ステップにおいて送信された前記強度情報及び前記所定情報に応じて前記表示装置の表示状態の変更を行う表示ステップとを含む情報表示方法である。
【発明の効果】
【０００７】
本開示における情報表示システム及び情報表示方法は、特定の場所において情報を閲覧する個々の閲覧者に対して有用な情報を提供し得る。
【図面の簡単な説明】
【０００８】
【図１】図１は、実施の形態に係る情報表示システムの概略構成を例示する図である。
【図２】図２は、携帯端末のグラフィカルユーザインタフェース（ＧＵＩ）画面を例示する図である。
【図３】図３は、表示装置と携帯端末との位置関係を示す図である。
【図４】図４は、情報表示システムの機能ブロック図である。
【図５】図５は、表示装置が送信するビーコン信号の構成を示す図である。
【図６】図６は、携帯端末が送信するサイネージ情報の構成を示す図である。
【図７】図７は、サーバ装置が記憶するサイネージテーブルの構成及び内容例を示す図である。
【図８】図８は、サーバ装置が記憶するコンテンツテーブルの構成及び内容例を示す図である。
【図９】図９は、サーバ装置が記憶するユーザテーブルの構成及び内容例を示す図である。
【図１０】図１０は、携帯端末におけるビーコン信号の受信に係る処理を示すフローチャートである。
【図１１】図１１は、サーバ装置の動作を示すフローチャートである。
【図１２】図１２は、情報表示システムの装置類間の情報の送受信シーケンスを例示する図である。
【図１３】図１３は、情報表示システムの装置類間の情報の送受信シーケンスを例示する図である。
【図１４】図１４は、表示装置の表示例を示す図である。
【図１５】図１５は、携帯端末に対応して変化した表示例を示す図である。
【図１６】図１６は、表示装置の表示例を示す図である。
【図１７】図１７は、携帯端末に対応して変化した表示例を示す図である。
【図１８】図１８は、表示装置の表示例を示す図である。
【図１９】図１９は、携帯端末に対応して変化した表示例を示す図である。
【図２０】図２０は、表示装置が送信するビーコン信号の強度を示す概念図である。
【図２１】図２１は、携帯端末におけるユーザ情報登録処理を示すフローチャートである。
【図２２】図２２は、携帯端末における制御処理を示すフローチャートである。
【図２３】図２３は、表示装置の表示例を示す図である。
【図２４】図２４は、表示装置の表示例を示す図である。
【図２５】図２５は、表示装置の表示例を示す図である。
【図２６】図２６は、チケット種別毎の特定範囲（初期状態）と表示装置との関係を示す概念図である。
【図２７】図２７は、変更後の特定範囲と表示装置との関係を示す概念図である。
【発明を実施するための形態】
【０００９】
特定の場所において情報を閲覧する個々の閲覧者（携帯端末を所持するユーザ）に適した情報を表示すべく、本開示における情報表示システムは、電磁波により信号を送信する１又は複数の表示装置と、携帯端末とを備える情報表示システムであって、前記携帯端末は、前記表示装置から送信される信号を受信し当該信号の強度を測定する受信測定部と、前記受信測定部による測定結果を示す強度情報及び所定情報を送信する送信部とを有し、前記表示装置は、電磁波による信号の送信を繰り返す発信部と、前記携帯端末から送信された前記強度情報及び前記所定情報に応じて表示状態の変更を行う表示部とを有し、前記表示部は、前記強度情報により示される強度が第１閾値より大きい場合には、表示状態を前記所定情報に応じた表示内容を表示する第１状態にし、前記表示状態を第１状態にした場合において第１閾値を変更する情報表示システムである。ここで、所定情報は、例えばその携帯端末にユーザが入力した情報等といったその携帯端末又はユーザに何らかの関係を有する情報である。
【００１０】
この情報表示システムによれば、携帯端末のユーザである閲覧者が、表示装置との相対距離を変化させることで表示状態を変更できる。また、ユーザは表示装置からの信号の強度が第１閾値より大きくなる距離まで近付くことでその携帯端末と関係する所定情報に応じた有用な表示内容を閲覧できるようになる。なお、携帯端末が電磁波として送信される信号の強度を測定する方法を用いているため、ＧＰＳ（Global Positioning System）等を用いて位置を知る方法と異なり、屋外に限らず屋内等でも利用可能となる。また、表示装置に表示された情報をユーザが閲覧したと推定される程度に携帯端末が表示装置に近接した後においては、例えばその近接より少し離れた程度に表示装置（前回と別の表示装置でもよい）に近付くだけでその表示装置が情報を表示するようになる。
【００１１】
また、例えば、第１閾値の前記変更は、第１閾値が元の値より小さくなるような変更であることとしてもよい。
【００１２】
これにより、表示装置に表示された情報をユーザが閲覧したと推定される程度に携帯端末が表示装置に近接した後においては、その近接より少し離れた程度に表示装置に近付くだけでその表示装置が情報を表示するようになる。
【００１３】
また、前記表示部は、前記強度情報により示される強度が第１閾値以下の第２閾値より小さい場合には、前記表示状態を第１状態と異なる第２状態にすることとしてもよい。
【００１４】
これにより、ユーザが表示装置からの信号の強度が第２閾値より小さくなる距離まで離れたときには、表示装置が、ユーザが表示装置からの信号の強度が第１閾値より大きくなる距離まで近付いたときとは異なる表示状態になる。
【００１５】
また、前記表示部は、前記強度情報により示される強度が第１閾値よりも小さく、第１閾値以下である第２閾値より大きい場合には表示状態を保つこととしてもよい。
【００１６】
これにより、表示内容の切り替えが頻発しないよう抑制され、ユーザにとって表示内容を視認し易くなる。
【００１７】
また、前記情報表示システムは更に、サーバ装置を備え、前記サーバ装置は、前記携帯端末から送信される前記強度情報及び前記所定情報を受信する受信部と、前記受信部により受信された前記強度情報及び前記所定情報に応じて表示内容を定める表示内容決定部と、前記表示内容決定部により定められた表示内容を示す表示情報を前記表示装置に送信する送信部とを有し、前記表示装置は更に、前記サーバ装置から送信される表示情報を受信する受信部を有し、前記表示部は、前記受信部により受信された表示情報が示す表示内容を表示することとしてもよい。
【００１８】
これにより、表示装置とは別個のサーバ装置が携帯端末からの情報を受信して表示内容を定めるため、例えば、情報表示システムが複数の表示装置を備える場合において適した構成となる。
【００１９】
また、前記表示内容決定部は、前記強度情報により示される強度が第１閾値より大きい場合には前記所定情報に応じて表示内容を定め、当該強度が第１閾値以下の第２閾値より小さい場合には前記所定情報に拘らず表示内容を定め、前記サーバ装置は、前記表示内容決定部により前記所定情報に応じて表示内容が定められた後において新たに前記受信部により前記強度情報及び前記所定情報が受信された場合に、第１閾値を元の値より小さい値に変更することとしてもよい。
【００２０】
これにより、一旦表示装置に近接して情報を閲覧したユーザに対しては、近接より少し離れた程度に表示装置に近付くだけで表示装置がユーザに適した情報を表示するようになる。
【００２１】
また、前記所定情報は、前記携帯端末の識別情報又は当該携帯端末の所持者の識別情報を含み、前記サーバ装置は更に、前記所定情報の内容と複数種類のうちいずれかの種類を示す種別情報とを対応付けた情報、及び、前記表示装置に表示可能な種類を示す表示種別情報を記憶する記憶部を有し、前記表示内容決定部は、前記携帯端末から前記所定情報を受信した場合に、前記記憶部を参照して当該所定情報に対応する種別情報を特定し、当該種別情報が示す種類と前記表示種別情報が示す種類とを比較し、当該比較の結果に応じて表示内容を定めることとしてもよい。
【００２２】
これにより、例えばユーザを識別する所定情報と、ユーザが必要とする種類の情報を示す種類情報とが対応付けられるので、ユーザは必要とする種類の情報の表示が可能な表示装置に近付くことにより必要とする種類の情報を閲覧できるようになる。また、例えば、ユーザが必要とする種類の情報の表示が可能でない表示装置に近付いた場合に、その表示装置が、その種類の情報の表示が可能でない等をユーザに知らせるための情報を表示すること等が可能となる。
【００２３】
また、前記情報表示システムは、前記表示装置を複数備え、前記表示装置の前記発信部が送信する前記信号は、当該表示装置の識別に用いられる表示装置識別用情報を含み、前記所定情報は、前記表示装置識別用情報を含み、前記サーバ装置の前記送信部は、当該サーバ装置の前記受信部により受信された前記所定情報に含まれる表示装置識別用情報を用いて識別される表示装置に、前記表示内容決定部により当該所定情報に応じて定められた表示内容を、送信することとしてもよい。
【００２４】
これにより、複数の表示装置のうち携帯端末を所持するユーザが近付いた表示装置からユーザは有用な情報を取得し得るようになる。
【００２５】
また、前記表示内容決定部は、前記強度情報により示される強度が第１閾値より大きい場合には前記所定情報に応じて表示内容を定め、当該強度が第１閾値以下の第２閾値より小さい場合には前記所定情報に拘らず表示内容を定め、前記サーバ装置は、前記表示内容決定部により前記所定情報に応じて表示内容が定められた後において新たに前記受信部により前記強度情報及び前記所定情報が受信された場合に、当該所定情報に含まれる前記表示装置識別用情報を用いて識別される表示装置が特定範囲内に存在するときには第１閾値を元の値より小さい値に変更することとしてもよい。
【００２６】
これにより、表示装置に表示された情報をユーザが閲覧したと推定される程度に携帯端末が表示装置に近接した後においては、特定範囲内に存在する表示装置にその近接より少し離れた程度に近付くだけでその表示装置が情報を表示するようになる。
【００２７】
また、前記サーバ装置は更に、前記所定情報の内容と複数種類のうちいずれかの種類を示す種別情報とを対応付けた情報を記憶する記憶部を有し、前記サーバ装置は、前記受信部により受信された前記所定情報と対応した前記種別情報が示す種類に応じて前記特定範囲を決定することとしてもよい。
【００２８】
これにより、例えばユーザが必要とする種類の情報に応じて適切な特定範囲が定められるようになる。
【００２９】
また、前記発信部による信号の前記送信は電波を発することによりなされ、前記受信測定部による前記測定は、電界強度の測定であることとしてもよい。
【００３０】
これにより、携帯端末をユーザが外部に露出させて携帯しなくても、表示装置に近付いた携帯端末が電波を受信し得るので、ユーザは、携帯端末を鞄、衣類のポケット等に収納して携帯しても、表示装置から有用な情報を取得し得るようになる。
【００３１】
また、本開示における情報表示システムで用いられる情報表示方法は、電磁波により信号を送信する１又は複数の表示装置と携帯端末とを備える情報表示システムにおいて用いられる情報表示方法であって、前記表示装置において電磁波による信号の送信を繰り返す発信ステップと、前記携帯端末において前記表示装置から送信される信号を受信し当該信号の強度を測定する受信測定ステップと、前記受信測定ステップにおける前記測定の結果を示す強度情報及び所定情報を送信する送信ステップと、前記送信ステップにおいて送信された前記強度情報及び前記所定情報に応じて前記表示装置の表示状態の変更を行う表示ステップとを含み、前記表示ステップでは、前記強度情報により示される強度が第１閾値より大きい場合には、表示状態を前記所定情報に応じた表示内容を表示する第１状態にし、前記表示状態を第１状態にした場合において第１閾値を変更する情報表示方法である。
【００３２】
これにより、携帯端末のユーザである閲覧者が、表示装置との相対距離を変化させることで表示状態を変更できる。また、ユーザは表示装置からの信号の強度が第１閾値より大きくなる距離まで近付くことでその携帯端末と関係する所定情報に応じた有用な表示内容を閲覧できるようになる。また、表示装置に表示された情報をユーザが閲覧したと推定される程度に携帯端末が表示装置に近接した後においては、例えばその近接より少し離れた程度に表示装置に近付くだけでその表示装置が情報を表示するようになる。
【００３３】
なお、これらの包括的又は具体的な各種態様には、装置、システム、方法、集積回路、コンピュータプログラム、コンピュータで読み取り可能な記録媒体等の１つ又は複数の組合せが含まれる。
【００３４】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３５】
なお、発明者は、当業者が本開示を十分に理解するために図面及び以下の説明を提供するのであって、これらによって請求の範囲に記載の主題を限定することを意図するものではない。即ち、以下の具体例を用いた説明で示される数値、形状、材料、構成要素、構成要素の配置及び接続形態、並びに、ステップ（工程）及びステップの順序等は、一例であって、請求の範囲に記載の主題を限定するものではない。以下の実施の形態における構成要素のうち、独立請求項に記載されていない構成要素については、任意に付加可能な構成要素である。また、各図は、模式図であり、必ずしも厳密に図示されたものではない。
【００３６】
（実施の形態１）
実施の形態１では、特定の場所において情報を閲覧する個々の閲覧者（携帯端末を所持するユーザ）に適した情報を表示するための情報表示方法を実現する情報表示システム１０について説明する。
【００３７】
以下、図１〜図２０を用いて、実施の形態１を説明する。
【００３８】
［１−１．構成］
図１は、実施の形態１に係る情報表示システム１０の概略構成を例示する図である。
【００３９】
情報表示システム１０は同図に示すように、表示装置１００ａ〜１００ｄ、サーバ装置２００及び携帯端末３００を含んで構成される。情報表示システム１０は、携帯端末を複数台含んで構成されてもよいが、ここでは１台の携帯端末３００に着目して説明する。同図に示す情報表示システム１０では、水泳用プール１３及びテニスコート１４等を含むスポーツ大会の会場の各地に設置された表示装置１００ａ〜１００ｄが、携帯端末３００を所持するユーザ（来場者）に閲覧されるべき会場案内のための情報等を表示する。ユーザは、例えばスポーツ競技を観戦するための競技場（水泳用プール１３、テニスコート１４等）へ移動する際にこれらの表示装置に表示される情報を閲覧できる。なお、ユーザは携帯端末３００を手で持って携帯していても、鞄や衣類のポケット等に入れて携帯していてもよい。
【００４０】
表示装置（サイネージ）１００ａ〜１００ｄは、デジタルサイネージ、電子広告板等と称され、ディスプレイ画面等に情報を表示する装置であり、ビーコン送信機を備え、通信回路等の通信インタフェース、メモリ、プロセッサ、ディスプレイ等を有する。ここで、ビーコン送信機は、例えば所謂近距離無線規格に属するBluetooth（登録商標）規格、ＢＬＥ（Bluetooth（登録商標） Low Energy）規格等に従って、アンテナから電波でビーコン信号を送信する無線送信回路を含んで構成される。
【００４１】
サーバ装置２００は、メモリ、ハードディスク装置等の記憶媒体、通信回路等の通信インタフェース、プロセッサ等を備えるコンピュータである。このサーバ装置２００は、通信インタフェースによりインターネット２０を介して表示装置１００ａ〜１００ｄ及び携帯端末３００と通信する。ここで、インターネット２０は、ローカルエリアネットワーク（ＬＡＮ）、広域ネットワーク（ＷＡＮ）等を含んでもよく、有線又は無線で相互接続された通信網である。
【００４２】
携帯端末３００は、ユーザに携帯されるスマートフォン、タブレット等といった端末装置であり、メモリ、プロセッサ、入力インタフェース、ディスプレイ、無線で基地局２１等を介してインターネット２０に接続する通信インタフェース等を備える。また、携帯端末３００は、表示装置１００ａ〜１００ｄのビーコン送信機が電波により送信する信号を受信する受信機及び受信信号の電界強度を検出する検出回路を備える。メモリはＲＯＭ、ＲＡＭ等である。メモリには携帯端末３００の各部を制御する制御処理を実現するための制御プログラムやその制御プログラムで利用するための設定値等が予め格納される。また、メモリは、制御プログラムのプロセッサによる実行に際して用いられる各値を一時的に格納するためにも用いられる。入力インタフェースは、キーボード、ポインティングデバイス等であり、例えばディスプレイ表面に重ね合わされたタッチパネルであってもよい。携帯端末３００のディスプレイには図２に例示するようなグラフィカルユーザインタフェース（ＧＵＩ）画面３０１が表示される。同図では、スポーツ大会の会場に来場したユーザが、ユーザＩＤ及び観戦する競技を示すチケット種別を入力した状態を示している。なお、ユーザが複数の競技の観戦のための複数のチケットを所有している場合においては、ユーザが現在どのチケットに係る競技の情報を入手したいかに応じてユーザが情報を入手すべき優先度の高いチケット種別を指定（入力）してもよい。ユーザは、携帯端末３００を通じて、例えばオンラインのチケットサービス等を利用し、競技の観戦のためのチケットを購入して所有している。
【００４３】
この情報表示システム１０の利用の一例について、図３を用いて説明する。表示装置１００ａに備えられたビーコン送信機が送信するビーコン信号は、ビーコン送信機からの距離が離れると減衰する。従って、携帯端末３００を所持するユーザが移動して表示装置１００ａ（ビーコン送信機）に近付くにつれて、携帯端末３００の検出回路で検出されるビーコン信号の強度（電界強度）は強くなる。このことから例えば次のことが推測される。即ち、携帯端末３００が、境界１０１を示す円の内側に位置する時には携帯端末３００で検出されるビーコン信号の強度が、ある第１閾値より大きく（強く）なる。そして、携帯端末３００が、境界１０２を示す円の外側に位置する時には携帯端末３００で検出されるビーコン信号の強度が、第１閾値より小さい第２閾値よりも小さく（弱く）なる。従って、携帯端末３００で検出されるビーコン信号の強度と各境界に相当する閾値との比較により、携帯端末３００及びこれを所持するユーザが表示装置１００ａに近接した位置に居るのか、それとも遠距離に居るのか、これらの間の近距離に居るのか等を区別し得る。
【００４４】
以下、上述した情報表示システム１０を構成する各装置類について詳細に説明する。
【００４５】
図４は、情報表示システム１０の機能ブロック図である。
【００４６】
［１−１−１．表示装置の機能構成］
表示装置１００ａは、機能面では図４に示すように、発信部１１０ａ、受信部１２０及び表示部１３０を備える。以下、これらの各機能構成要素について説明する。
【００４７】
発信部１１０ａは、上述したビーコン送信機で構成され、表示装置群（表示装置１００ａ〜１００ｄ）のうち表示装置１００ａを識別するための表示装置識別用情報として予め定められたビーコンＩＤを含むビーコン信号を一定周期で繰り返し送信する機能を有する。
【００４８】
受信部１２０は、通信インタフェース等により構成され、インターネット２０を介してサーバ装置２００と通信し、サーバ装置２００から送信される表示情報（後述）を受信する機能を有する。
【００４９】
表示部１３０は、受信部１２０により受信された表示情報に基づき表示内容をメモリ等の記憶媒体に保持し、この表示内容に基づいてディスプレイへの表示を行う機能を有する。この機能は、メモリに格納された制御プログラムがプロセッサに実行されること等により実現される。
【００５０】
表示装置１００ｂ〜１００ｄも、表示装置１００ａと同様の構成を備えるが、これらの発信部において送信されるビーコンＩＤは、それぞれの表示装置を識別するための表示装置識別用情報として予め定められたものとなる。
【００５１】
［１−１−２．サーバ装置の機能構成］
サーバ装置２００は、機能面では図４に示すように、受信部２１０、記憶部２２０、境界決定部２３０、表示内容決定部２４０及び送信部２５０を備える。以下、これらの各機能構成要素について説明する。
【００５２】
受信部２１０は、通信インタフェース等で構成され、インターネット２０を介して携帯端末３００と通信し、携帯端末３００から送信されるサイネージ情報（後述）を受信して記憶部２２０に格納する機能を有する。
【００５３】
記憶部２２０は、メモリ等の記憶媒体の一領域であり、表示装置の表示内容となり得るコンテンツ、表示装置に関する情報（サイネージテーブル）、表示内容に関する情報（コンテンツテーブル）、携帯端末のユーザに関する情報（ユーザテーブル）等を保持する。なお、サイネージテーブル、コンテンツテーブル及びユーザテーブルについては後に詳しく説明する。
【００５４】
境界決定部２３０は、表示装置１００ａ〜１００ｄの各々と携帯端末３００との距離（携帯端末３００が測定する表示装置のビーコン送信機から送信されるビーコン信号の強度）に応じて表示装置の表示内容を制御する上での距離の境界を定める機能を担う。
【００５５】
表示内容決定部２４０は、記憶部２２０内のテーブル群を参照して表示装置１００ａ〜１００ｄの各々についての表示内容を決定する機能を担う。境界決定部２３０及び表示内容決定部の各機能は、メモリに格納された制御プログラムがプロセッサに実行されること等により実現される。
【００５６】
送信部２５０は、通信インタフェース等で構成され、インターネット２０を介して表示装置１００ａ〜１００ｄの各々と通信し、表示装置１００ａ〜１００ｄの各々に対して表示内容決定部２４０により決定された表示内容を示す表示情報を送信する機能を有する。なお、送信部２５０は、例えば各表示装置のＩＰアドレス（Internet Protocol address）等の送信先のネットワーク上の位置を特定する情報を予め保持するように設定されている。
【００５７】
［１−１−３．携帯端末の機能構成］
携帯端末３００は、機能面では図４に示すように、入力部３１０、記憶部３２０、受信測定部３３０、送信部３４０及び表示部３５０を備える。以下、これらの各機能構成要素について説明する。
【００５８】
入力部３１０は、制御プログラムを実行するプロセッサ、入力インタフェース等で構成され、ユーザからのユーザＩＤ、競技を示すチケット種別等の入力操作を受け付けて記憶部３２０に格納する機能を有する。
【００５９】
記憶部３２０は、メモリの一領域として構成され、入力部３１０により格納されたユーザＩＤ、チケット種別等を保持する機能を有する。
【００６０】
受信測定部３３０は、各表示装置のビーコン送信機から送信されるビーコン信号を受信する受信機及び信号の電界強度を検出する検出回路等で構成され、ビーコン信号に含まれるビーコンＩＤ５０１（図５参照）及び強度情報を送信部３４０に伝える機能を有する。
【００６１】
送信部３４０は、制御プログラムを実行するプロセッサ、通信インタフェース等で構成され、基地局２１等を介してインターネット２０と接続し、サーバ装置２００に対して、ビーコン信号及び強度情報を含むサイネージ情報を送信する機能を有する。なお、送信部３４０は、例えばサーバ装置２００のＩＰアドレス等の送信先のネットワーク上の位置を特定する情報を予め保持するように設定されている。
【００６２】
表示部３５０は、ディスプレイ等で構成され、メモリに格納された制御プログラムがプロセッサに実行されることにより実現されるところの携帯端末３００の制御処理に従ってＧＵＩ画面の表示機能を担う。
【００６３】
［１−２．データ］
以下、上述の構成を備える情報表示システム１０で取り扱われるデータについて説明する。
【００６４】
図５は、各表示装置の発信部（発信部１１０ａ等）がBluetooth（登録商標）規格、ＢＬＥ規格等に従って周期的に送信するビーコン信号の構成を示す図である。同図に示すようにビーコン信号は、ビーコンＩＤ５０１を内容として伝達するために変調された信号である。このビーコンＩＤ５０１は、送信元の発信部（ビーコン送信機）を含む表示装置を識別するための表示装置識別用情報として働くため、発信部毎（表示装置毎）に異なる値を有する。このビーコンＩＤは、携帯端末３００により受信され、携帯端末３００がサーバ装置２００に送信するサイネージ情報の一部に含まれることとなる。なお、ビーコンＩＤ５０１は、ビーコン送信機が特定周波数で送信するビーコン信号毎に固有の値であってもよいし、ビーコン送信機毎に固有の値であってもよい。また、ビーコンＩＤが表示装置毎に定められた表示装置ＩＤと同値であってもよい。
【００６５】
図６は、携帯端末３００が送信するサイネージ情報５１０の構成を示す図である。サイネージ情報５１０は、表示装置（サイネージ）に近づいた携帯端末３００がビーコンＩＤを含むビーコン信号を受信した場合に生成され、サーバ装置２００に対して送信される。このサイネージ情報５１０は、同図に示すように、ビーコンＩＤ５１１、強度情報５１２、及び、表示装置での表示内容を決定するために用いられるべき所定情報（ユーザＩＤ５１３、チケット種別５１４、言語５１５等）を含んで構成される。この所定情報は、携帯端末３００又はそのユーザに何らかの関係を有する情報である。
【００６６】
ビーコンＩＤ５１１は、表示装置の発信部から送信され携帯端末３００の受信測定部３３０により受信された表示装置識別用情報としてのビーコンＩＤ５０１を示す。強度情報５１２は、携帯端末３００の受信測定部３３０により検出されたビーコン信号の電界強度を示す情報である。ユーザＩＤ５１３は、ユーザ操作により指定（入力）され携帯端末３００の入力部３１０が受け付けたユーザの識別情報である。チケット種別５１４は、ユーザ操作により指定（入力）され、携帯端末３００の入力部３１０が受け付けたチケット種別である。このチケット種別は、複数種類のうちいずれかの種類を示す種類情報の一例であり、例えば、水泳、テニス、柔道その他の競技のうちユーザが観戦する競技を示す。言語５１５は、携帯端末３００において表示に用いられる言語の情報である。表示に用いられる言語は、携帯端末３００の初期値又はユーザによる設定値として定められたものであり、例えば表示部３５０により表示されるＧＵＩ画面に記載された文字はこの言語の文字となる。
【００６７】
図７は、サーバ装置２００の記憶部２２０に保持されるサイネージテーブル５２０の構成及び内容例を示す図である。サイネージテーブル５２０は、各表示装置について表示可能な情報を示すものであって、表示装置識別用情報として働くビーコンＩＤ５２１と表示種別５２２とを対応付けたレコードの集合として構成される。この内容は、予め各表示装置の設置位置等に鑑みて情報表示システム１０の管理者、運用者等によって設定されている。表示種別５２２のチケット種別５２２ａは複数種類のうちどの種類に対応した情報を表示可能であるかを示し、表示順序５２２ｂはその種類の情報の何番目に表示される情報であるかを示す。図７の例では、１０３２というビーコンＩＤに対応する表示装置において、水泳についての１番目の情報、テニスについての１番目の情報等の表示が可能であることを示す。
【００６８】
図８は、サーバ装置２００の記憶部２２０に保持されるコンテンツテーブル５３０の構成及び内容例を示す図である。コンテンツテーブル５３０は、表示装置１００ａ〜１００ｄの表示内容となり得るコンテンツを示すコンテンツＩＤ５３４と、表示内容の属性となるチケット種別５３１、表示順序５３２及び言語５３３とを対応付けて構成される。この対応付けは、各表示装置の表示内容となり得るコンテンツの作成に際して、情報表示システム１０の管理者、運用者等によってなされている。
【００６９】
チケット種別５３１は、サイネージ情報５１０のチケット種別５１４と同様に、複数種類のうちいずれかの種類を示し、コンテンツＩＤ５３４で示されるコンテンツがどの種類の内容を有するかを示す情報である。表示順序５３２は、コンテンツＩＤ５３４で示されるコンテンツが、チケット種別５３１により示される種類の何番目のコンテンツであるかを示す情報である。言語５３３は、コンテンツＩＤ５３４で示されるコンテンツに記載された文字がどの言語の文字であるかを示す情報である。コンテンツＩＤ５３４は、コンテンツの識別情報である。図８のコンテンツテーブル５３０の内容例は、例えば「Ｃ０１１」というコンテンツＩＤで識別されるコンテンツは、英語で記載された水泳に関する１番目の情報（水泳用プールまでの経路を案内する最初の情報等）であることを示している。
【００７０】
図９は、サーバ装置２００の記憶部２２０に保持されるユーザテーブル５４０の構成及び内容例を示す図である。ユーザテーブル５４０は、ユーザＩＤ５４１、チケット種別５４２及び閲覧履歴５４３を対応付けたレコードの集合として構成される。
【００７１】
ユーザＩＤ５４１は、携帯端末３００を所持するユーザについての識別情報である。チケット種別５４２は、ユーザが観戦する競技を示す。閲覧履歴５４３は、携帯端末３００を所持するユーザがいずれかの表示装置に近づいて表示内容を閲覧した場合にその旨を示す情報であり、例えば閲覧した表示内容を表示する表示装置の発信部から送信されるビーコンＩＤである。このユーザＩＤ５４１、チケット種別５４２及びビーコンＩＤは、サーバ装置２００において、携帯端末３００から送信されるサイネージ情報から抽出されたものである。
【００７２】
［１−３．動作］
以下、上述の構成を備え、上述のデータを取り扱う情報表示システム１０の動作について説明する。
【００７３】
［１−３−１．携帯端末の動作］
携帯端末３００は、入力部３１０によりユーザの入力を受けて、ユーザＩＤ、チケット種別等を記憶部３２０に格納する入力処理を行い、また別に、図１０に示すように、ビーコン信号の到来を待機してビーコン信号の受信に係る処理を行う。なお、ユーザの操作等を受けて携帯端末３００においてプロセッサが特定のアプリケーションプログラムを実行することにより、これらの処理が行われる。
【００７４】
図１０は、携帯端末３００におけるビーコン信号の受信に係る処理を示すフローチャートである。以下、同図に即して携帯端末３００の動作を説明する。
【００７５】
携帯端末３００の受信測定部３３０は、ビーコン信号が受信されるまでビーコン信号の到来を待ち（ステップＳ１）、ビーコン信号が受信されるとビーコンＩＤを抽出して、検出回路により受信に係る電界強度を測定する（ステップＳ２）。なお、ステップＳ１では、ビーコン信号が到来する可能性のあるタイミングにおいて受信機を作動させてビーコン信号が受信可能かどうかを検査すれば足りる。電界強度の測定結果は、例えば、強、中、弱の３段階を識別可能な測定値を示す強度情報として表される。例えば、携帯端末３００がビーコン送信機（表示装置）から２ｍ程度の距離以内に近接している場合に強度情報は強を示し、３〜１０ｍ程度の距離に位置している場合に強度情報は中を示し、１０ｍ〜１５ｍ程度の距離に位置している場合に強度情報は弱を示す。
【００７６】
ビーコンＩＤが取得され電界強度が測定された後に、携帯端末３００の送信部は、サイネージ情報（図６参照）を生成して、サーバ装置２００に送信する（ステップＳ３）。このサイネージ情報は、取得されたビーコンＩＤ、測定された電界強度を示す強度情報並びに所定情報（入力処理により記憶部３２０に格納されているユーザＩＤ及びチケット種別、及び、予め初期値、設定値等として定められた言語を示す情報）から生成される。
【００７７】
表示装置１００ａ〜１００ｄの各発信部（ビーコン送信機）がビーコン信号を送信しているので、携帯端末３００は、スポーツ大会の会場内でいずれかの表示装置に近付くとサイネージ情報をサーバ装置２００に送信することになる。
【００７８】
［１−３−２．サーバ装置の動作及び表示装置の表示動作］
サーバ装置２００は、携帯端末３００から送信されたサイネージ情報（強度情報、所定情報等）に応じていずれかの表示装置の表示状態の変更のための制御（表示情報の送信）を行う。従って、表示装置の表示部１３０は、サーバ装置２００からの表示情報に従って、つまりこれらの強度情報、所定情報等に応じて、表示状態を変更することになる。
【００７９】
図１１は、サーバ装置２００の動作を示すフローチャートである。以下、同図に即してサーバ装置２００の動作を説明する。携帯端末３００がスポーツ大会の会場内（図１参照）でユーザに所持されており、ユーザは図２に示すように水泳の競技を観戦するチケットを所有し、会場内の各表示装置に近付いて水泳用プールへの経路の情報を随時入手することを前提として説明する。
【００８０】
サーバ装置２００は、携帯端末３００からのサイネージ情報の送信を待機し、受信部２１０によりサイネージ情報が受信された場合には（ステップＳ１１）、境界決定部２３０は、ユーザが表示装置に表示された情報を閲覧したかを判断する（ステップＳ１２）。この判断は、記憶部２２０に保持されたユーザテーブル（図９参照）で、受信されたサイネージ情報に含まれるユーザＩＤに対応付けられた閲覧履歴としていずれかの表示装置を示す表示装置識別用情報としてのビーコンＩＤが含まれているか否かによりなされる。ユーザが所持する携帯端末３００が表示装置から一定範囲内に近づいてサイネージ情報をサーバ装置２００に送信した場合に、ユーザテーブルにおいてユーザＩＤとビーコンＩＤ（閲覧履歴）とが対応付けられるためである（後述するステップＳ２０）。なお、携帯端末３００が表示装置から一定範囲内に近付く等により、携帯端末３００を所持するユーザは表示装置の内容の閲覧が可能となるため、ステップＳ１２の判断においては、携帯端末３００が表示装置に近付くことをもって、閲覧したと推定している。
【００８１】
ステップＳ１２で閲覧したと判断した場合に、境界決定部２３０は、携帯端末３００が表示装置の一定範囲内に近付いたときにサーバ装置２００がその表示装置の表示内容を変更するところの一定範囲内外を分ける境界を、広域境界と決定する（ステップＳ１３）。逆に、閲覧しなかったと判断した場合には、境界決定部は、その一定範囲内外を分ける境界を、広域境界よりも狭い狭域境界と決定する（ステップＳ１４）。このことは、携帯端末３００を所持するユーザが表示装置に近付いて表示装置の表示状態を変化させた場合においては、それ以降に境界内か否かを判断するための強度情報の閾値を、元の閾値から変更することを意味する。即ち、ステップＳ１４では強度情報の閾値を、所定の高値、例えば強度情報の強と中との間に相当するように設定し、ステップＳ１３では強度情報の閾値を、所定の高値よりも低い所定の低値、例えば強度情報の中と弱との間に設定する。従って、ユーザが表示装置に表示された情報を閲覧する前は強度情報の閾値は所定の高値であり、閲覧後には閾値が所定の低値へと変更されることになる。
【００８２】
そして、サーバ装置２００の表示内容決定部２４０は、広域境界又は狭域境界と決定された境界内に携帯端末３００が入ったかどうかを判断する（ステップＳ１５）。例えば、広域境界と決定された場合には、サイネージ情報中の強度情報が中以上であれば境界内に携帯端末３００が入ったと判断し、狭域境界と決定された場合には、強度情報が強であれば境界内に携帯端末３００が入ったと判断する。即ち、上述した強度情報の閾値を、強度情報が示す電界強度の測定値が超えた場合に、境界内に携帯端末３００が入ったと判断する。
【００８３】
ステップＳ１５において境界内に携帯端末３００が入ったと判断した場合には、表示内容決定部２４０は、その境界中の表示装置が携帯端末３００のユーザが所有するチケットに対応した表示内容を表示可能であるか否かを判断する（ステップＳ１６）。この判断は、記憶部２２０のサイネージテーブル（図７参照）中のビーコンＩＤ及びチケット種別の組のうち、携帯端末３００から受信したサイネージ情報中のビーコンＩＤ及びチケット種別と一致するものがあるか否かにより、なされる。
【００８４】
ステップＳ１６において、表示装置が携帯端末３００に係るチケット種別に対応した表示内容を表示可能であると判断した場合には、表示内容決定部２４０は、そのチケット種別に対応した表示内容を指定する表示情報を表示装置に送信する（ステップＳ１７）。具体的には、表示内容決定部２４０は、サイネージ情報のチケット種別と一致したサイネージテーブル中のレコードの表示種別（チケット種別、表示順序）及びサイネージ情報中の言語に基づいて、コンテンツテーブル（図８参照）を参照して表示内容を特定する。即ち、そのコンテンツテーブル中のコンテンツＩＤで示されるコンテンツを表示内容として特定して、表示内容決定部２４０はそのコンテンツを含む表示情報を表示装置に送信する。なお、表示情報は、コンテンツの代わりにコンテンツＩＤを含むものであってもよい。この場合には、表示装置は、受信した表示情報中のコンテンツＩＤを指定してサーバ装置或いは他の記憶媒体等からコンテンツをダウンロードして表示してもよい。このステップＳ１７における表示情報の送信先は、サーバ装置２００が受信したサイネージ情報のビーコンＩＤ（表示装置識別用情報）で示される表示装置である。このステップＳ１７における表示情報の送信の結果として、ユーザが所持する携帯端末３００が近付いた表示装置にはその特定された表示内容が表示され、そのユーザはその表示内容を閲覧可能になる。
【００８５】
続いて、サーバ装置２００は、表示情報で指定した表示内容が表示順序として最後のものであるか否かを判断し（ステップＳ１８）、最後のものである場合にはユーザテーブル中の閲覧履歴の内容を消去する（ステップＳ１９）。また、最後のものでない場合には、ユーザテーブル中の閲覧履歴がなければ、サイネージ情報中のビーコンＩＤを閲覧履歴に記録する（ステップＳ２０）。閲覧履歴がない状態では、ユーザは表示装置に例えば２ｍ程度の距離以内に近接することで所有するチケット種別に関する情報を閲覧できる。そして、このステップＳ２０における閲覧履歴の記録により、一度同じチケット種別に関する情報を閲覧したユーザは表示装置に近接しなくてもある程度（例えば３〜１０ｍ）に近付くだけでそのチケット種別に関する情報を閲覧できるようになる。
【００８６】
また、ステップＳ１６において、表示装置が携帯端末３００に係るチケット種別に対応した表示内容を表示可能でないと判断した場合には、表示内容決定部２４０は、ユーザが表示装置に表示された情報を閲覧したかを判断する（ステップＳ２１）。閲覧したかの判断はステップＳ１２における判断と同様である。ステップＳ２１において、閲覧したと判断した場合には、表示内容決定部２４０は、表示装置がチケット種別に非対応の場合に表示すべきとして予め定められた注意コンテンツを表示内容として指定する表示情報を表示装置に送信する（ステップＳ２２）。これにより、ユーザが所持する携帯端末３００が近付いた表示装置には注意コンテンツ（例えば、ユーザが所持するチケットに係る競技場への経路からユーザが離れている旨の警告情報等）が表示される。また、ステップＳ２１において、閲覧していないと判断した場合には、表示内容決定部２４０は、予め定められたデフォルトコンテンツを表示内容として指定する表示情報を表示装置に送信する（ステップＳ２３）。これにより、ユーザが所持する携帯端末３００が近付いた表示装置にはデフォルトコンテンツ（例えば、その表示装置において表示されるべき一般的な情報等）が表示される。なお、デフォルトコンテンツは、表示装置毎に異なるように定められていても、全ての表示装置で同一になるように定められていてもよい。また、デフォルトコンテンツを表示内容として指定する表示情報は、デフォルトコンテンツ自体を含まないものとして、表示装置側が予めデフォルトコンテンツを保持しておき、それをその表示情報に対応して表示することとしてもよい。
【００８７】
また、ステップＳ１５で境界内に携帯端末３００が入っていないと判断した場合に広域境界を出たと判断したときには（ステップＳ２４）、表示内容決定部２４０はデフォルトコンテンツを表示内容として指定する表示情報を表示装置に送信する（ステップＳ２３）。これにより、携帯端末３００が表示装置から離れた場合に、表示装置には例えばチケット種別に対応した情報ではなく一般的な情報等が表示されることとなる。なお、ステップＳ１５及びステップＳ２４における判断は、サイネージ情報中の強度情報に基づきなされ、例えば連続して受信されたサイネージ情報における強度情報がどのように変化しているかに基づいてなされてもよい。即ちステップＳ１５においては境界外に相当する強度から境界内に相当する強度へと変化したことをもって肯定的に判断し、ステップＳ２３においては広域境界内に相当する強度から広域境界外に相当する強度へと変化したことをもって肯定的に判断してもよい。なお、サーバ装置２００においてサイネージ情報を受信した後に一定時間（例えばビーコン信号の送信周期の数倍等）待機しても次のサイネージ情報が受信できなくなったことをもって携帯端末３００が広域境界外へ出たと判断してもよい。
【００８８】
また、ステップＳ２４において、表示内容決定部２４０は広域境界を出ていないと判断したときには特に表示情報の送信を行うことなく、サーバ装置２００は次のサイネージ情報の受信まで待機する（ステップＳ１１）。これに対して、表示装置では表示情報を受信しない間は表示内容を変更することなく元の表示状態を継続する。
【００８９】
なお、ステップＳ１２で閲覧済みでないと判断した場合において、強度情報により示される強度が狭域境界内に相当する強い強度であるときに表示内容決定部２４０が行うステップＳ１７における表示内容の決定は、サイネージ情報内の所定情報に応じてなされる。そして、その場合において、強度情報により示される強度が広域境界を出たことに相当する弱い強度であるときに表示内容決定部２４０が行うステップＳ２３における表示内容の決定は、その所定情報に拘わらずなされる。そして、ステップＳ１７における表示内容の決定がなされた後において、ステップＳ２０により閲覧済みであることの記録がなされる。これにより、次に携帯端末が他の表示装置に近付いて強度情報及び所定情報を含むサイネージ情報が受信された場合には、ステップＳ１２で閲覧済みと判断される。そして、強度情報により示される強度が広域境界内に相当する弱い強度であるときに表示内容決定部２４０がステップＳ１５で境界内に入ったと判断して表示内容の決定の処理を行う。
【００９０】
［１−３−３．情報の送受による各装置の連携］
図１２及び図１３は、情報表示システム１０を構成する表示装置１００ａ、表示装置１００ｂ、サーバ装置２００及び携帯端末３００における情報の送受信シーケンスを例示する図である。以下、これらの図に即して装置間での情報の授受について説明する。
【００９１】
まず、図１２を用いて表示装置１００ａに関連したシーケンスについて説明する。
【００９２】
サーバ装置２００は、まず表示装置１００ａに初期設定をすべくデフォルトコンテンツ表示指示（デフォルトコンテンツを表示内容として指定する表示情報）を送信する（シーケンスＳ２０１）。表示装置１００ａは、起動されるとビーコン信号を一定時間間隔で周期的に送信する。スポーツ大会の会場の特定の場所（図１参照）に設置された表示装置１００ａは、例えば図１４に示すようなデフォルトコンテンツを含む画面Ｃ０１を表示する。
【００９３】
図１２のシーケンスＳ２０２〜Ｓ２１７は、携帯端末３００が表示装置１００ａから十分離れた位置に居て、携帯端末３００を所持するユーザの移動に伴って次第に表示装置１００ａに近付き、そしてまた離れる場合のシーケンスを示す。携帯端末３００では、水泳のチケット種別が指定されているものとする（図２参照）。また、携帯端末３００のユーザはシーケンスＳ２０２までに水泳に係る情報を閲覧していない（水泳のチケット種別に対応する表示装置に近付いたことがない）ものとする。なお、図１２及び図１３では、説明の便宜上、ビーコン信号を間引いて表しており、或いは、ユーザの移動速度を実際よりも高速に表している。また、表示装置１００ａ、表示装置１００ｂはそれぞれ水泳のチケット種別に対応する表示内容を表示可能な表示装置であり、それぞれ表示順序は１番、２番であるものとする。
【００９４】
シーケンスＳ２０２において表示装置１００ａがビーコン信号を送信するが、携帯端末３００は表示装置１００ａの設置位置から離れているのでビーコン信号を受信できない。
【００９５】
シーケンスＳ２０３において表示装置１００ａがビーコン信号を送信すると、表示装置から例えば１３ｍ程度に近付いてビーコン信号を受信した携帯端末３００は、弱を示す強度情報を含むサイネージ情報をサーバ装置２００に送信する（シーケンスＳ２０４）。
【００９６】
シーケンスＳ２０５において表示装置１００ａがビーコン信号を送信すると、表示装置から例えば５ｍ程度に近付いてビーコン信号を受信した携帯端末３００は、中を示す強度情報を含むサイネージ情報をサーバ装置２００に送信する（シーケンスＳ２０５）。これに対してサーバ装置２００は、携帯端末３００が水泳のチケット種別の情報を閲覧済みでなく狭域境界内に入っていないと判断し、表示情報の送信をしない（図１１のステップＳ２４）。
【００９７】
シーケンスＳ２０７において表示装置１００ａがビーコン信号を送信すると、表示装置から例えば１ｍ程度に近付いてビーコン信号を受信した携帯端末３００は、強を示す強度情報を含むサイネージ情報をサーバ装置２００に送信する（シーケンスＳ２０８）。これに対してサーバ装置２００は、携帯端末３００が狭域境界に入ったと判断し、水泳のチケット種別に対応する表示装置１００ａに水泳コンテンツ１を表示内容として指定する表示情報を送信する（ステップＳ１７、シーケンスＳ２０９）。ここで、水泳コンテンツ１は、水泳に関し表示順序が１番目のコンテンツである。このとき、表示装置１００ａは、例えば図１５に示すような水泳コンテンツ１（水泳用プールへの経路の案内情報）を含む画面Ｃ０２を表示する。これにより、携帯端末３００のユーザは、例えば、観戦したい水泳の競技場である水泳用プールへの経路を確認することができる。
【００９８】
シーケンスＳ２１０において表示装置１００ａがビーコン信号を送信すると、表示装置から例えば１ｍ程度にまだ留まってビーコン信号を受信した携帯端末３００は、強を示す強度情報を含むサイネージ情報をサーバ装置２００に送信する（シーケンスＳ２１１）。既に水泳コンテンツ１を閲覧したユーザは、表示装置から離れて、例えば水泳用プールの方向へと進み始める。
【００９９】
シーケンスＳ２１２において表示装置１００ａがビーコン信号を送信すると、表示装置から例えば５ｍ程度に離れてビーコン信号を受信した携帯端末３００は、中を示す強度情報を含むサイネージ情報をサーバ装置２００に送信する（シーケンスＳ２１３）。
【０１００】
シーケンスＳ２１４において表示装置１００ａがビーコン信号を送信すると、表示装置から例えば１３ｍ程度に離れてビーコン信号を受信した携帯端末３００は、弱を示す強度情報を含むサイネージ情報をサーバ装置２００に送信する（シーケンスＳ２１５）。これに対してサーバ装置２００は、携帯端末３００が広域境界から出たと判断し、表示装置１００ａにデフォルトコンテンツを表示内容として指定する表示情報を送信する（ステップＳ２３、シーケンスＳ２１６）。これにより、表示装置１００ａは、再び図１４に示すような画面Ｃ０１を表示する。
【０１０１】
シーケンスＳ２１７において表示装置１００ａがビーコン信号を送信するが、表示装置から例えば１６ｍ以上に離れた携帯端末３００は、ビーコン信号を受信できないため、サイネージ情報の送信を行わない。
【０１０２】
次に、図１３を用いて表示装置１００ｂに関連したシーケンスについて説明する。
【０１０３】
サーバ装置２００は、まず表示装置１００ｂに初期設定をすべくデフォルトコンテンツ表示指示（デフォルトコンテンツを表示内容として指定する表示情報）を送信する（シーケンスＳ２２１）。スポーツ大会の会場において表示装置１００ａから水泳用プールへ向かう経路上に設置された表示装置１００ｂは（図１参照）、例えば図１６に示すようなデフォルトコンテンツを含む画面Ｃ０３を表示する。そして表示装置１００ｂは、ビーコン信号を一定時間間隔で周期的に送信する。
【０１０４】
図１３のシーケンスＳ２２２〜Ｓ２３７は、携帯端末３００が表示装置１００ｂから十分離れた位置に居て、携帯端末３００を所持するユーザの移動に伴って次第に表示装置１００ｂに近付き、そしてまた離れる場合のシーケンスを示す。携帯端末３００のユーザはシーケンスＳ２２２までに、図１２のシーケンスＳ２０９に対応して表示装置１００ａが表示した水泳コンテンツ１を含む画面Ｃ０２を閲覧したものとする。
【０１０５】
シーケンスＳ２２２において表示装置１００ｂがビーコン信号を送信するが、携帯端末３００は表示装置１００ｂの設置位置から離れているのでビーコン信号を受信できない。
【０１０６】
シーケンスＳ２２３において表示装置１００ｂがビーコン信号を送信すると、表示装置から例えば１３ｍ程度に近付いてビーコン信号を受信した携帯端末３００は、弱を示す強度情報を含むサイネージ情報をサーバ装置２００に送信する（シーケンスＳ２２４）。
【０１０７】
シーケンスＳ２２５において表示装置１００ｂがビーコン信号を送信すると、表示装置から例えば５ｍ程度に近付いてビーコン信号を受信した携帯端末３００は、中を示す強度情報を含むサイネージ情報をサーバ装置２００に送信する（シーケンスＳ２２６）。これに対してサーバ装置２００は、携帯端末３００が水泳のチケット種別の情報を閲覧済みで広域境界内に入ったと判断し、表示装置１００ｂに水泳コンテンツ２を表示内容として指定する表示情報を送信する（ステップＳ１７、シーケンスＳ２２７）。ここで、水泳コンテンツ２は、水泳に関し表示順序が２番目のコンテンツである。このとき、表示装置１００ｂは、例えば図１７に示すような水泳コンテンツ２（水泳用プールへの経路の案内情報）を含む画面Ｃ０４を表示する。これにより、携帯端末３００のユーザは、表示装置１００ｂに近付きながら例えば、水泳用プールへの経路を確認することができる。
【０１０８】
シーケンスＳ２２８において表示装置１００ｂがビーコン信号を送信すると、表示装置から例えば１ｍ程度に近付いてビーコン信号を受信した携帯端末３００は、強を示す強度情報を含むサイネージ情報をサーバ装置２００に送信する（シーケンスＳ２２９）。
【０１０９】
シーケンスＳ２３０において表示装置１００ｂがビーコン信号を送信すると、表示装置から例えば５ｍ程度に離れてビーコン信号を受信した携帯端末３００は、中を示す強度情報を含むサイネージ情報をサーバ装置２００に送信する（シーケンスＳ２３１）。
【０１１０】
シーケンスＳ２３２において表示装置１００ｂがビーコン信号を送信すると、表示装置から例えば１３ｍ程度に離れてビーコン信号を受信した携帯端末３００は、弱を示す強度情報を含むサイネージ情報をサーバ装置２００に送信する（シーケンスＳ２３３）。これに対してサーバ装置２００は、携帯端末３００が広域境界から出たと判断し、表示装置１００ｂにデフォルトコンテンツを表示内容として指定する表示情報を送信する（ステップＳ２３、シーケンスＳ２３４）。これにより、表示装置１００ｂは、再び図１６に示すような画面Ｃ０３を表示する。
【０１１１】
シーケンスＳ２３５において表示装置１００ｂがビーコン信号を送信するが、表示装置から例えば１６ｍ以上に離れた携帯端末３００は、ビーコン信号を受信できないため、サイネージ情報の送信を行わない。
【０１１２】
このように情報表示システム１０では、複数の表示装置（サイネージ）が連携することで、いずれかの表示装置に携帯端末が近接したこと（履歴）を用いて、各表示装置の表示条件等を動的に変更している。
【０１１３】
携帯端末３００のユーザは、まず表示装置１００ａに近接して水泳コンテンツ１を閲覧して水泳用プールまでの経路を確認し、水泳用プールまで移動している間に表示装置１００ｂにある程度近い位置に来れば移動しつつ水泳コンテンツ２を閲覧できる。
【０１１４】
これにより、ユーザが表示装置１００ｂの２ｍ以内まで近接しなくても５ｍ程度のある程度近い位置に来れば、例えば水泳用プールまでの経路を案内する水泳コンテンツ２が表示されるので、水泳用プールへの移動中のユーザにとっての利便性が高い。
【０１１５】
［１−３−４．チケット種別への非対応の場合の表示］
上述した表示装置１００ａ、表示装置１００ｂはそれぞれ水泳のチケット種別に対応する表示内容を表示可能な表示装置であったが、以下、水泳のチケット種別に対応する表示内容を表示できない表示装置１００ｄでの表示について説明する。
【０１１６】
表示装置１００ｄは、表示装置１００ａから水泳用プールまでの経路上ではなくテニスコートまでの経路上に設置されている。このため、表示装置１００ｄは、水泳のチケット種別に対応する表示内容を表示できない。
【０１１７】
この表示装置１００ｄは、通常は、図１８に示す画面Ｃ０５を表示している。そして、水泳の観戦チケットを所有し、例えば表示装置１００ａにより水泳用プールまでの経路を確認したユーザが、道に迷って表示装置１００ｄの近くに来た場合には、表示装置１００ｄは、例えば図１９に示すような注意コンテンツを含む画面Ｃ０６を表示する。この画面Ｃ０６は、水泳用プールの方向とは逆方向なので戻るべきである旨の注意を促している。この画面Ｃ０６は、携帯端末３００からのサイネージ情報を受信したサーバ装置２００が表示装置１００ｄに注意コンテンツを表示内容として指定した表示情報を送信した結果（図１１のステップＳ２２）として表示されている。
【０１１８】
（他の実施の形態）
以上のように、本出願において開示する技術の例示として、実施の形態１を説明した。しかしながら、本開示における技術は、これに限定されず、適宜、変更、置き換え、付加、省略等を行った実施の形態にも適用可能である。
【０１１９】
実施の形態１で示した表示装置１００ａ等は、ビーコン信号を送信する１つのビーコン送信機を含むもので（図３参照）、携帯端末３００がそのビーコン信号を受信して電界強度を測定することで表示装置１００ａ等との距離を推定できた。この距離の推定を電界強度で行う場合に、その強度を例えば、強、中、弱等と区別したが、その分解能を向上させるために、例えば図２０に示すように表示装置４００が複数の異なる周波数のビーコン信号を送信する複数のビーコン送信機を含むようにしてもよい。それぞれのビーコン送信機の送信するビーコン信号の送信出力（電力）を異ならせておく。例えば１つのビーコン信号の強度が強の範囲と中の範囲との境界が境界４０４でそのビーコン信号の強度が中の範囲と弱の範囲との境界が境界４０２である。そしてそのビーコン信号より送信出力が高いビーコン信号の強度が強の範囲と中の範囲との境界が境界４０３でそのビーコン信号の強度が中の範囲と弱の範囲との境界が境界４０１である。そして携帯端末がサーバ装置に送信するサイネージ情報に、各ビーコン信号のビーコンＩＤと強度情報とを対応付けて含ませることで、サーバ装置は、携帯端末と表示装置４００との距離を細かく区別して表示内容の切り替えに利用できるようになる。
【０１２０】
また、実施の形態１で示したビーコン信号に、ビーコンＩＤの他に、近接、近い、遠い等の判断基準として測定されるべき電界強度の境界を示す閾値を含ませてもよい。この場合は、携帯端末側ではその閾値を用いて表示装置にどの程度近付いているかについての情報をサイネージ情報に含ませてサーバ装置に送信することができる。
【０１２１】
実施の形態１では、携帯端末がいずれかの表示装置に近接してビーコン信号を受信した場合に一定条件下で、サーバ装置２００が携帯端末からビーコンＩＤ（サイネージ情報の一部）を受信しユーザテーブルに閲覧履歴として記録することを示した。このように、サーバが携帯端末から受信したビーコンＩＤ等を記録し、蓄積して集計することで、例えばスポーツ大会の会場への来場者の流れを把握し、その把握した情報を表示装置への表示内容として活用してもよい。例えば、人が多く混雑した場所を避けるような各競技場への経路の案内情報を、表示内容としてもよい。なお、表示装置の表示内容は、スポーツ大会の会場案内のための情報（各競技場への経路の案内情報等）に限られることはなく、例えば、イベントの情報、ニュース等、いかなる情報であってもよい。
【０１２２】
また、サーバ装置２００が各表示装置の表示内容を決定するに際して、表示を行う時刻や携帯端末から収集したサイネージ情報等に基づいて、表示内容を動的に変更してもよい。例えば、チケット種別で示される競技の最新の試合状況や試合結果等を表示内容に含ませてもよい。
【０１２３】
また、携帯端末３００がサーバ装置２００に対してユーザＩＤと、チケット種別及び言語の情報との対応を伝達するユーザ情報登録処理を実行することとしてもよい。図２１は、このユーザ情報登録処理を示すフローチャートである。携帯端末３００が入力部３１０によりユーザＩＤの入力を受け付け（ステップＳ１１１）、チケット種別の指定を受け付け（ステップＳ１１２）、送信部３４０によりこれらを言語の情報と合わせてサーバ装置２００に送信する（ステップＳ１１３）。なお、サーバ装置２００では、ユーザテーブル内に、ユーザＩＤ、チケット種別及び言語の対応関係を保持して、必要に応じて参照する。実施の形態１では携帯端末３００がサイネージ情報にチケット種別及び言語を含ませることとしたが、このユーザ情報登録処理を一度行うことにし、サイネージ情報にはチケット種別及び言語を含ませないことにしてもよい。
【０１２４】
また、実施の形態１では携帯端末３００が表示装置の近くの境界内（例えば狭域境界内）に入った場合に表示内容が変化することとしたが（図１１、ステップＳ１７参照）、境界内に一定時間（例えば２０秒）滞在した場合に表示内容が変化するようにしてもよい。また、境界内に入ったことの検知を、携帯端末３００が受信したビーコン信号についての１回の測定結果である強度に基づいて行っても、複数の測定結果である強度の時間的変化に基づいて行ってもよい。
【０１２５】
また、実施の形態１ではサイネージ情報にユーザＩＤを含ませることとしたが、その代わりに、携帯端末３００に固有の端末ＩＤを含ませてユーザＩＤと同じ用途に利用することとしてもよい。また、ユーザＩＤの代わりに、携帯端末３００に対応する電話番号、携帯端末３００で動作するアプリケーションプログラムが定める識別情報等を用いてもよい。
【０１２６】
また、実施の形態１では表示装置はディスプレイに表示内容を表示することとしたが、表示装置がディスプレイの代わりにプロジェクタを備え、壁面やスクリーンに表示内容を投影することとしてもよい。
【０１２７】
また、実施の形態１ではビーコン送信機は電波でビーコン信号を送信するものとしたが、例えば発光ダイオード等により光（赤外線等）のビーコン信号を送信するものであってもよい。この場合は、携帯端末ではフォトダイオード等により光であるビーコン信号の強度を測定すればよい。即ち、ビーコン信号は電磁波として送信されるものであればよい。但し、ビーコン信号を電波で送信すると、ユーザが受信側となる携帯端末を外部に露出させて携帯しなくても、つまり鞄、衣類のポケット等に収納して携帯しても、ビーコン信号を受信し易くなる効果が生じ得る。
【０１２８】
また、実施の形態１で示した情報表示システム１０が情報表示方法を実行する際の各処理（図１０、図１１に示した処理等）の実行順序は、必ずしも、実施の形態１に記載した通りの順序に制限されるものではなく、発明の要旨を逸脱しない範囲で、実行順序を入れ替えたりその一部を省略したりすることができるものである。
【０１２９】
また、実施の形態１では、各表示装置の表示部１３０は、サーバ装置２００からの表示情報に従って、つまり携帯端末３００からの強度情報、所定情報等に応じて、表示内容であるコンテンツを切り替えた。この表示内容の切り替え以外にも、例えば表示と非表示との制御を強度情報等に応じて行ってもよい。例えば、表示装置はデフォルトコンテンツを表示する代わりに非表示状態になることとしてもよい。
【０１３０】
また、実施の形態１では、表示装置はそれぞれどのチケット種別に対応した情報が表示可能であるかを定められていることとしたが、いずれのチケット種別に対応した情報でも表示可能であるとしてもよい。
【０１３１】
また、実施の形態１では携帯端末３００がビーコン信号を受信する毎に強度情報等を含むサイネージ情報をサーバ装置２００に送信することとした。しかし、携帯端末３００がビーコン信号を受信したときの電界強度が所定強度以上である場合に限ってサイネージ情報をサーバ装置２００に送信することとしてもよい。図２２は、この場合の携帯端末３００の動作を示すフローチャートである。携帯端末３００は、ビーコン信号を受信し（ステップＳ１０１）、電界強度を測定して（ステップＳ１０２）、ユーザが情報を閲覧したか否かを判断する（ステップＳ１０３）。このステップＳ１０３では、例えば、受信したビーコン信号の電界強度が強であることを示す強度情報を含むサイネージ情報を既に送信したことのある等の一定条件を満たす場合には、携帯端末３００はユーザが情報を閲覧したと判断する。一定条件を満たした場合にビーコン信号のビーコンＩＤを記憶しておき、現在受信したビーコン信号のビーコンＩＤと記憶しているビーコンＩＤが一致すればユーザが情報を既に閲覧したと判断してもよい。そして、ユーザが情報を閲覧していない場合には、受信したビーコン信号の電界強度が所定強度以上である場合に限って（ステップＳ１０５）、サイネージ情報をサーバ装置２００に送信する（ステップＳ１０４）。また、ユーザが情報を既に閲覧している場合には、ビーコン信号を受信しただけでサイネージ情報をサーバ装置２００に送信する（ステップＳ１０４）。これにより、サーバ装置２００は、サイネージ情報を受信した場合にステップＳ１２〜Ｓ１４（図１１）の処理を省略することができるようになる。
【０１３２】
例えば、携帯端末３００に制御処理を実行させるための制御プログラムは、記憶媒体及びプロセッサを有する携帯端末と、表示装置識別用情報を含む信号を電磁波により繰り返し送信し、かつ、当該携帯端末から送信される所定情報に応じた表示を行う１又は複数の表示装置とを備える情報表示システムにおいて、当該携帯端末に制御処理を実行させるための制御プログラムであって、前記制御処理は、前記表示装置から送信される信号を受信して当該信号の強度を測定し、一定条件下で前記表示装置識別用情報の値を前記記憶媒体に記憶する受信測定ステップと、前記受信測定ステップにおいて受信された前記表示装置識別用情報と同一の値が前記記憶媒体に記憶されていない場合において、測定された前記強度が所定強度以上であるときには所定情報を送信し、受信された当該表示装置識別用情報と同一の値が当該記憶媒体に記憶されている場合においては当該所定情報を送信する送信ステップとを含む制御プログラムである。
【０１３３】
また、上述した各装置類による各種処理（図１０、図１１、図２１及び図２２に示す処理等）の全部又は一部は、各装置類のハードウェアにより実現されても、ソフトウェアを用いて実現されてもよい。なお、ソフトウェアによる処理は、各装置類に含まれるプロセッサがメモリに記憶された制御プログラムを実行することにより実現されるものである。また、その制御プログラムを記録媒体に記録して頒布や流通させてもよい。例えば、頒布された制御プログラムを装置類にインストールして、装置類のプロセッサに実行させることで、装置類に各種処理（図１０、図１１、図２１及び図２２に示す処理等）を行わせることが可能となる。
【０１３４】
また、実施の形態１では複数の表示装置を示したが、情報表示システム１０は１台の表示装置と１台のサーバ装置と１台の携帯端末とから構成されるものであってもよい。なお、表示装置とサーバ装置とは一体化していて、両者の間ではインターネットを介さずに直接的に情報の伝達をすることとしてもよい。この場合、表示装置の表示部は、例えばサーバ装置の機能を包含し、携帯端末３００から送信された強度情報及び所定情報に応じて表示状態の変更を行うことになる。このようにサーバ装置の機能を包含した表示装置が、サーバ装置の機能を包含していない表示装置（例えば表示装置１００ａ等）にとってはサーバ装置２００であるように動作してもよい。
【０１３５】
また、実施の形態１で示した表示装置、サーバ装置といった装置類の各機能構成要素を、それぞれ分離した別個の装置内に設置することとしてもよい。分離した各装置内の各機能構成要素は、互いに有線又は無線で通信することにより連携して動作し、実施の形態１で示した表示装置、サーバ装置により行われるものと同様の情報表示方法が実現されるようになる。
【０１３６】
また、実施の形態１で図２等に示したチケット種別について、ユーザが複数のチケットを所有している場合に複数のチケット種別を選択できることとしてもよい。この場合に、例えば選択された複数のチケット種別は携帯端末によりサイネージ情報に含められてサーバ装置２００に送信される。そして、サーバ装置２００は、複数のチケット種別それぞれに対応する表示内容（例えば複数のチケットそれぞれの競技場への経路の案内情報）を定めて交互に表示するよう指示する表示情報を表示装置に送信することとしてもよい。また、交互に表示するのではなく、複数の経路の案内情報を１つの地図上に合わせて表示する等とした表示内容を定めることとしてもよい。
【０１３７】
また、実施の形態１で示した受信部１２０は、送信部２５０から表示情報を受け付けるだけではなく、定期的にサーバ装置２００にアクセスして、新しいコンテンツがあるか否かを確認し、新しいコンテンツがあった場合に、該当コンテンツの取得要求をサーバ装置２００へ送り、それに応じてサーバ装置２００が送信するコンテンツを受信することとしてもよい。
【０１３８】
また、実施の形態１で示した携帯端末が送信するサイネージ情報（図６参照）は強度情報を含むこととしたが、その代わりに、強度に基づいて推定されるビーコン送信機からの距離を示す距離情報を含めてもよい。この場合、サーバ装置２００側では、強度情報の代わりに距離情報に基づいて境界内に入ったか境界から出たか等の判断を行う（図１１、ステップＳ１５、Ｓ２４等）。
【０１３９】
また、実施の形態１で示したユーザテーブル（図９参照）は、チケット種別及び閲覧履歴を１つしか例示していないが、それぞれ複数記録してもよい。
【０１４０】
また、実施の形態１で示した携帯端末がサイネージ情報をサーバ装置２００に送信する動作（図１０参照）は、ビーコン信号を受信する度ではなく、予め定められた間隔で行い、送信頻度を減らしてもよい。また、ビーコン信号の強度の測定値自体を、サイネージ情報中に強度情報として含ませてもよい。
【０１４１】
また、実施の形態１で示したステップＳ２４（図１１参照）においては広域境界を出たか否かで判断したが、境界を広域境界に固定するのではなく、例えばステップＳ１２〜Ｓ１４においてしたように、境界を閲覧済みか否かで変更してもよい。
【０１４２】
また、複数の携帯端末が順次、１台の表示装置に近接する領域に入って来たような場合において、最後に入って来た携帯端末及びそのユーザに関連する情報を優先的に表示装置が表示するようにしてもよい。また逆に、表示装置が、最初に近接する領域に入って来た携帯端末及びそのユーザに関連する情報を優先的に表示するとともに、その後に入って来たユーザが待ち行列に加わっている旨（待機中のユーザ数等）を表示することとしてもよい。この場合の画面例を図２３に示す。画面Ｃ０７では、星印で現在どのユーザに関連する情報を表示しているかを示しており、その近接する領域に入って来た各ユーザのユーザＩＤ、チケット種別及び言語等をリスト形式で表示している。この場合には、表示内容を閲覧したユーザが表示装置から離れると、表示装置は次の順番のユーザに関連する情報を表示することになる。なお、各ユーザの所持する携帯端末に、待ち行列におけるそのユーザの状態等を表示してもよい。
【０１４３】
また、表示装置は、ある単位処理時間内において（例えば毎分）、表示装置に近接する領域に複数の携帯端末（つまりユーザ）が入って来た場合には、同じ内容の情報を必要とする複数の携帯端末（ユーザ）に対しては、まとめて１回で同じ内容を表示してもよい。また、同じ内容の情報を必要とする携帯端末（ユーザ）の数が多い情報から順に、情報を表示することとしてもよい。同じ内容の情報は、例えば、同じ言語による同じ場所への経路を示す情報である。例えば、表示装置に近接する領域に入って来た１人目のユーザＡが英語による水泳用プールへの経路の情報を必要とし、２人目のユーザＢが英語によるテニスコートへの経路の情報を必要とし、３人目が１人目と同じ情報を必要とした場合には次のようになる。この場合、表示装置は、必要とする情報が同じである２人のユーザ（ユーザＡ及びユーザＣ）のために英語により水泳用プールへの経路の情報を表示した後に、１人のユーザ（ユーザＢ）のために英語によりテニスコートへの経路の情報を表示する。
【０１４４】
また、複数の携帯端末が順次、１台の表示装置に近接する領域に入って来たような場合において、表示装置は、各携帯端末及び対応する各ユーザに関連する各情報を、順番（例えばその領域に携帯端末が入って来た順番）に表示してもよい。また、この場合において、表示装置は、各携帯端末への情報（つまり各携帯端末及び対応する各ユーザに関連する各情報）を順に表示する他に、複数の携帯端末への情報を重ねて同時に表示してもよい。また、各携帯端末及び対応する各ユーザ毎に、その携帯端末及びユーザへの情報を、携帯端末或いはユーザに固有のアイコンを付して表示してもよい。この場合の画面例を図２４に示す。画面Ｃ０７１では、表示装置１００ａに近接した１人目のユーザ（ユーザＡ）への情報（水泳用プール迄の経路を示す情報）に付随して、このユーザＡに対応するアイコンＩ１ａ、アイコンＩ１ｂ及びアイコンＩ１ｃをこの順に逐次切り替えて（つまり位置を移動させて）表示している。この切り替え表示により、地図上におけるユーザの進むべき経路に沿ってアイコンが移動するアニメーションとしてユーザに視認される。また、画面Ｃ０７１では、表示装置１００ａに近接した２人目のユーザ（ユーザＢ）への情報（テニスコート迄の経路を示す情報）に付随して、この２人目のユーザＢに対応するアイコンＩ２ａ、アイコンＩ２ｂ及びアイコンＩ２ｃをこの順に順次切り替えて表示している。なお、アイコンは画面上に表示された情報がどのユーザに対するものかを区別するために表示されている。各ユーザは例えば自己を識別するためのアイコン用データを予め携帯端末に入力等して記憶させておき、携帯端末は、このアイコン用データをサイネージ情報５１０（図６参照）に含ませることとしてもよい。また、ユーザテーブル５４０（図９参照）にユーザについてのアイコン用データを含ませてもよい。このアイコン用データを含むサイネージ情報５１０或いはユーザテーブル５４０に基づいて、サーバ装置或いは表示装置において、表示内容に図２４に示すようなアイコンを含ませることができる。なお、アイコンは必ずしも画面上で移動しなくてもよい。また、同じ内容の情報を必要とする複数の携帯端末（ユーザ）に対してまとめて情報を表示する場合において、その情報にはその複数のユーザそれぞれに対応するアイコンを付して表示してもよい。なお、表示装置１００ａが、表示装置１００ａに近接した１人目のユーザＡへの情報の表示を行っている最中に、２人目のユーザＢが表示装置１００ａに近接した場合においては、ユーザＡへの情報の表示に重畳するように並列してユーザＢへの情報の表示を行ってもよい。これにより、各ユーザへの情報の表示開始タイミングが異なるため、例えばユーザＡに対応する経路とアイコンＩ１ａとが表示されアイコンＩ１ａがアイコンＩ１ｂに切り替わった後にユーザＢに対応する経路とアイコンＩ２ａとが表示され、その後の時間の経過とともにアイコンＩ１ｃとアイコンＩ２ｂとが表示される。
【０１４５】
また、ビーコン送信機は表示装置から分離してもよく、この場合に表示装置を識別する装置ＩＤと、ビーコンＩＤとの対応をサーバ装置２００が管理してもよい。
【０１４６】
また、サイネージテーブル（図７参照）で示したような表示順序は、同種のチケット種別に対応する最後の情報については最終の順番であることを識別する情報を含むこととしてもよい。
【０１４７】
また、実施の形態１で示した注意コンテンツ（図１９参照）は、チケット種別に依存しない共通コンテンツであってもよい。この共通コンテンツの例を図２５の画面Ｃ０８に示す。また、閲覧履歴（図９参照）として閲覧したコンテンツの表示順序も記録しておき、ユーザに対して表示装置で表示しようとする経路案内用コンテンツ（競技場への経路の案内情報等）が閲覧したコンテンツの表示順序より前になるような場合（ユーザが表示順序に逆行した経路を進んだ場合等）にも、注意コンテンツを表示してもよい。また、注意コンテンツと経路案内用コンテンツとを交互に表示しても、経路案内用コンテンツに注意コンテンツを重畳して表示するようにしてもよい。
【０１４８】
また、実施の形態１で示したサーバ装置２００が、ある表示装置に近接して一旦コンテンツを閲覧したユーザが次に近接しなくてもある程度近い距離に来ればコンテンツを表示する表示装置を、特定範囲内に存在するものに限定してもよい。すなわち、サーバ装置２００は、特定範囲内に存在する表示装置を、広域境界と決定する表示装置であると一括で設定してもよい。この特定範囲は、表示装置に表示されるコンテンツを特定するチケット種別に応じて定まる、チケット種別毎の範囲であってもよい。図２６は、チケット種別毎の特定範囲と表示装置との関係を示す概念図である。特定範囲は、表示装置群のうち部分集合である表示装置を特定する範囲であれば足り、１以上の表示装置が設置された位置を包含する範囲（例えば経度、緯度等で定まる地上の領域としての範囲）でもよいし、１以上の表示装置を個別に特定する範囲（例えば表示装置Ａ，Ｂ，Ｃ、Ｄ及びＥのうちＡ、Ｂ及びＣという範囲）であってもよい。特定範囲で特定される表示装置を、特定範囲内に存在する表示装置と表現できる。サーバ装置２００では、特定範囲の初期状態（初期値）として、チケット種別毎にそのチケット種別に対応する表示内容を表示可能な全ての表示装置を内包つまり特定するような値が設定されている。図２６の特定範囲Ｇ０１は、水泳のチケット種別に対応する初期状態としての特定範囲を表しており、この範囲内には表示装置１００ａ、表示装置１００ｂ及び表示装置１００ｃが存在する。また、特定範囲Ｇ０２は、テニスのチケット種別に対応する初期状態としての特定範囲を表しており、この範囲内には表示装置１００ａ、表示装置１００ｂ及び表示装置１００ｄが存在する。この場合、例えば水泳のチケット種別のチケットを所有するユーザが表示装置１００ａに近接して表示内容を閲覧した後には、ユーザが表示装置１００ｂに近接より離れた程度に近付くだけで表示装置１００ｂにそのユーザのための表示内容が表示される。このことは、携帯端末３００を所持するユーザが表示装置１００ａに近付いて表示装置の表示状態を変化させた場合においては、特定範囲Ｇ０１に属する表示装置１００ｂ、１００ｃについて、境界内か否かを判断するための強度情報の閾値を、元の閾値から変更することを意味する。ユーザが表示装置１００ａに表示された情報を閲覧する前は、特定範囲Ｇ０１に属する表示装置について、強度情報の閾値は所定の高値であり、閲覧後には閾値が所定の低値へと変更されることになる。
【０１４９】
しかし、ユーザが表示装置１００ａに近接して表示内容を閲覧した後でも、水泳のチケット種別についての特定範囲Ｇ０１の外部となる表示装置１００ｄにユーザがその程度に近付いただけでは表示状態が変化しない。このことは、特定範囲Ｇ０１に属さない表示装置１００ｄについては、境界内か否かを判断するための強度情報の閾値を変更しないことを意味する。
【０１５０】
また、サーバ装置２００は、特定範囲を、ユーザの移動に対応して動的に変更することとしてもよい。即ち、サーバ装置２００は、ユーザが最後に表示内容を閲覧した表示装置（サイネージ情報中のビーコンＩＤにより識別される表示装置）とサイネージ情報中のチケット種別とに基づいて特定範囲を変更する機能を有してもよい。図２７は、変更後の特定範囲と表示装置との関係を示す概念図である。同図の特定範囲Ｇ０１ａは、水泳のチケット種別のチケットを所有するユーザが表示装置１００ｂの表示内容を閲覧した後にサーバ装置２００が変更した特定範囲である。サーバ装置２００において、どの表示装置の表示内容がユーザに閲覧されたら特定範囲をどのように変更するかが予め定められている。例えば、水泳のチケット種別のチケットを所有するユーザが水泳用プールへ向かって移動して順次表示装置の表示内容を閲覧して行く場合において、サーバ装置２００はユーザが通過した表示装置を特定範囲から除外するように特定範囲を狭める。例えば、水泳に関し表示順序が２番目のコンテンツが閲覧された場合には、表示順序が１番目のコンテンツを表示する表示装置を特定範囲から除外する。特定範囲に含まれる表示装置の数は、例えばチケット種別に応じた目的地（水泳のチケットであれば水泳用プール）にユーザが近付く程、少なくなるように定めることができる。この特定範囲の制御により、ユーザが水泳用プールに行く予定を途中で変更して他の競技の競技場へ向かったような場合において特定範囲Ｇ０１ａの外部に存在する表示装置がユーザが近接より離れた程度に近付くだけで表示状態を変化させることを防止できる。なお、サーバ装置２００では、ユーザが目的地に到着した場合つまりユーザが所有（選択）しているチケット種別に対応する最終の順番のコンテンツを閲覧した場合において特定範囲を初期状態に戻してもよい。また、目的地を含む十分広い所定範囲からユーザが離れた場合、最後の閲覧から所定の長時間が経過した場合、ユーザが選択しているチケット種別を変更した場合等にも特定範囲を初期状態に戻してもよい。
【０１５１】
また、実施の形態１で示したサーバ装置２００は、経路案内用コンテンツを表示内容とする表示情報を表示装置に送信してから一定時間、その表示装置に関連するビーコンＩＤを含むサイネージ情報を受信しない場合には、デフォルトコンテンツを表示内容とする表示情報をその表示装置に送信することとしてもよい。
【０１５２】
また、情報表示システム１０における各装置類の機能構成要素（機能ブロック）は、ＩＣ（Integrated Circuit）、ＬＳＩ（Large Scale Integration）等の半導体装置により個別に１チップ化されてもよいし、一部又は全部を含むように１チップ化されてもよい。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。更には、半導体技術の進歩又は派生する別技術によりＬＳＩに置き換わる集積回路化の技術が出現すれば、その技術を用いて機能ブロックの集積化を行ってもよい。バイオ技術の適用等が可能性としてあり得る。
【産業上の利用可能性】
【０１５３】
本開示は、特定の場所において複数の閲覧者各々のために情報を表示するシステム（デジタルサイネージ）に適用可能である。
【符号の説明】
【０１５４】
１０  情報表示システム
２０  インターネット
２１  基地局
１００ａ〜１００ｄ  表示装置
１１０ａ  発信部
１２０  受信部
１３０  表示部
２００  サーバ装置
２１０  受信部
２２０  記憶部
２３０  境界決定部
２４０  表示内容決定部
２５０  送信部
３００  携帯端末
３１０  入力部
３２０  記憶部
３３０  受信測定部
３４０  送信部
３５０  表示部
【図１】
0006021089.tif 000002
【図２】
0006021089.tif 000003
【図３】
0006021089.tif 000004
【図４】
0006021089.tif 000005
【図５】
0006021089.tif 000006
【図６】
0006021089.tif 000007
【図７】
0006021089.tif 000008
【図８】
0006021089.tif 000009
【図９】
0006021089.tif 000010
【図１０】
0006021089.tif 000011
【図１１】
0006021089.tif 000012
【図１２】
0006021089.tif 000013
【図１３】
0006021089.tif 000014
【図１４】
0006021089.tif 000015
【図１５】
0006021089.tif 000016
【図１６】
0006021089.tif 000017
【図１７】
0006021089.tif 000018
【図１８】
0006021089.tif 000019
【図１９】
0006021089.tif 000020
【図２０】
0006021089.tif 000021
【図２１】
0006021089.tif 000022
【図２２】
0006021089.tif 000023
【図２３】
0006021089.tif 000024
【図２４】
0006021089.tif 000025
【図２５】
0006021089.tif 000026
【図２６】
0006021089.tif 000027
【図２７】
0006021089.tif 000028